(57)【要約】【課題】液晶表示パネルの面内温度分布が発生する状態においても、表示画像の画質劣化を防止することが可能な液晶表示装置を提供する。【解決手段】液晶表示パネル４を用いて、画像を表示する液晶表示装置であって、前記液晶表示パネル４の複数分割領域Ａ〜Ｄの各々における温度を検出する温度センサー１６ａ〜１６ｄと、入力画像信号を前記液晶表示パネル４の複数分割領域Ａ〜Ｄの各々に対応したブロックに分割し、該分割されたブロックの画像信号の各々に対して、該画像信号が表示される前記液晶表示パネル４の分割領域Ａ〜Ｄにおける検出温度と、前記入力画像信号の１垂直表示期間前後における階調遷移の組み合わせとに応じた強調変換を行うことにより、前記液晶表示パネル４の光学応答特性を補償する強調変換信号を求める強調変換部２２とを備えたものである。【選択図】  図１
2004151672.tif 000002
【特許請求の範囲】
【請求項１】
液晶表示パネルを用いて、画像を表示する液晶表示装置であって、
前記液晶表示パネルの複数分割領域の各々における温度を検出する温度検出手段と、
入力画像信号を前記液晶表示パネルの複数分割領域の各々に対応したブロックに分割し、該分割されたブロックの画像信号の各々に対して、該画像信号が表示される前記液晶表示パネルの分割領域における検出温度と、前記入力画像信号の１垂直表示期間前後における階調遷移の組み合わせとに応じた強調変換を行うことにより、前記液晶表示パネルの光学応答特性を補償する強調変換信号を求める書込階調決定手段とを備えたことを特徴とする液晶表示装置。
【請求項２】
前記請求項１に記載の液晶表示装置において、
前記温度検出手段は、任意の数の温度センサーによる検出温度に所定の演算を施すことによって、前記液晶表示パネルの分割領域の各々における温度を求めることを特徴とする液晶表示装置。
【請求項３】
前記請求項２に記載の液晶表示装置において、
前記温度検出手段は、当該装置の電源投入後の経過時間に応じて、前記温度センサーによる検出温度に施す演算を可変することを特徴とする液晶表示装置。
【請求項４】
前記請求項２に記載の液晶表示装置において、
前記温度検出手段は、当該装置内外の温度に応じて、前記温度センサーによる検出温度に施す演算を可変することを特徴とする液晶表示装置。
【請求項５】
前記請求項１乃至４のいずれかに記載の液晶表示装置において、
前記書込階調決定手段は、入力画像信号の１垂直表示期間前後における階調遷移の組み合わせに応じて、該入力画像信号を前記液晶表示パネルの光学応答特性を補償する強調変換信号に変換するための、予め定められた複数の温度範囲毎に異なる強調変換パラメータを記憶した複数の変換テーブルメモリと、
前記入力画像信号が表示される前記液晶表示パネルの分割領域における検出温度に基づいて、前記複数の変換テーブルメモリのうちの一つを選択的に切換える切換部とを有し、
前記切換部により切換えられた変換テーブルメモリを参照することにより読み出された強調変換パラメータを用いて、前記入力画像信号に対する強調変換信号を求め、書込階調信号として前記液晶表示パネルに供給することを特徴とする液晶表示装置。
【請求項６】
前記請求項１乃至４のいずれかに記載の液晶表示装置において、
前記書込階調決定手段は、入力画像信号の１垂直表示期間前後における階調遷移の組み合わせに応じて、該入力画像信号を前記液晶表示パネルの光学応答特性を補償する強調変換信号に変換するための、予め定められた複数の温度範囲毎に異なる強調変換パラメータを複数の参照テーブル領域毎に記憶したテーブルメモリと、
前記入力画像信号が表示される前記液晶表示パネルの分割領域における検出温度に基づいて、前記複数の参照テーブル領域のうちの一つを選択的に切換える切換部とを有し、
前記切換部により切換えられた前記テーブルメモリの参照テーブル領域を参照することにより読み出された強調変換パラメータを用いて、前記入力画像信号に対する強調変換信号を求め、書込階調信号として前記液晶表示パネルに供給することを特徴とする液晶表示装置。
【請求項７】
前記請求項１乃至４のいずれかに記載の液晶表示装置において、
前記書込階調決定手段は、入力画像信号の１垂直表示期間前後における階調遷移の組み合わせに応じて、該入力画像信号を前記液晶表示パネルの光学応答特性を補償する強調変換信号に変換するための強調変換パラメータを記憶した変換テーブルメモリと、
前記強調変換パラメータを用いて求められた強調変換信号から前記入力画像信号を減算する減算器と、
前記入力画像信号が表示される前記液晶表示パネルの分割領域における検出温度に基づいて可変制御される重み係数ｋを、前記減算器の出力信号に積算する乗算器と、
前記乗算器の出力信号を、前記入力画像信号に加算する加算器とを有し、
前記加算器の出力信号を、書込階調信号として前記液晶表示パネルに供給することを特徴とする液晶表示装置。
【発明の詳細な説明】
【０００１】
【発明の属する技術分野】
本発明は、液晶表示パネルを用いて画像を表示する液晶表示装置に関し、特に液晶表示パネルの光学応答特性を改善することが可能な液晶表示装置に関するものである。
【０００２】
【従来の技術】
近来、パーソナルコンピュータやテレビ受信機などの軽量化、薄形化によってディスプレイ装置も軽量化、薄形化が要求されており、このような要求に従って陰極線管（ＣＲＴ）の代わりに液晶表示装置（ＬＣＤ）のようなフラットパネル型ディスプレイが開発されている。
【０００３】
ＬＣＤは二つの基板の間に注入されている異方性誘電率を有する液晶層に電界を印加し、この電界の強さを調節して基板を透過する光の量を調節することによって所望の画像信号を得る表示装置である。このようなＬＣＤは携帯の簡便なフラットパネル型ディスプレイのうちの代表的なものであり、この中でも薄膜トランジスタ（ＴＦＴ）をスイッチング素子として用いたＴＦＴ  ＬＣＤが主に用いられている。
【０００４】
最近は、ＬＣＤがコンピュータのディスプレイ装置だけでなく、テレビ受信機のディスプレイ装置として広く用いられるため、動画像を具現する必要が増加してきた。しかしながら、従来のＬＣＤは応答速度が遅いために動画像を具現するのは難しいという短所があった。
【０００５】
このような液晶の応答速度の問題を改善するために、１フレーム前の入力画像信号と現フレームの入力画像信号の組み合わせに応じて、予め決められた現フレームの入力画像信号に対する階調電圧より高い（オーバーシュートされた）駆動電圧或いはより低い（アンダーシュートされた）駆動電圧を液晶表示パネルに供給する液晶駆動方法が知られている。以下、本願明細書においては、この駆動方式をオーバーシュート（ＯＳ）駆動と定義する。
【０００６】
従来のオーバーシュート駆動回路の概略構成を図１４に示す。すなわち、これから表示するＮ番目のフレームの入力画像データ（Ｃｕｒｒｅｎｔ  Ｄａｔａ）と、フレームメモリ１に保存されたＮ−１番目のフレームの入力画像データ（Ｐｒｅｖｉｏｕｓ  Ｄａｔａ）とを強調変換部２に読み出し、両データの階調遷移パターンとＮ番目のフレームの入力画像データとを、ＯＳテーブルメモリ（ＲＯＭ）３に保存されている付加電圧データ一覧表と照合し、照合して見つけ出した印加電圧データ（強調変換パラメータ）に基づき、Ｎ番目のフレームの画像表示に要する書込階調信号（強調変換信号）を決定し、液晶表示パネル４に印加する。ここでは、強調変換部２とＯＳテーブルメモリ３とにより書込階調決定手段を構成している。
【０００７】
ここで、上述のＯＳテーブルメモリ３に格納されている印加電圧データ（強調変換パラメータ）は、液晶表示パネル４の光学応答特性の実測値から予め得られるものであり、例えば表示信号レベル数すなわち表示データ数が８ビットの２５６階調である場合、図１５に示すように、２５６の全ての階調に対する印加電圧データを持っていても良いし、例えば６４階調毎の５つの代表階調、或いは３２階調毎の９つの代表階調についての実測値のみを記憶しておき、その他の印加電圧データについては、上記実測値から線形補完等の演算で求めるようにしても良い。
【０００８】
一般的に液晶表示パネルにおいては、ある中間調から別の中間調に変更させる時間は長く、中間調を１フレーム期間（例えば６０Ｈｚのプログレッシブスキャンの場合は１６．７ｍｓｅｃ）内に表示することができず、残像が発生するだけでなく、中間調を正しく表示することができないという課題があったが、上述のオーバーシュート駆動回路を用いることにより、図１６に示すように、目標の中間調を短時間で表示することが可能となる。
【０００９】
さらに、液晶の応答速度は温度依存性が非常に大きいことが知られており、液晶パネルの温度が変化しても、これに対応して表示品位を損なうことなく常に階調変化の応答速度を最適な状態に制御する液晶パネル駆動装置が、例えば特開平４−３１８５１６号公報に記載されている。
【００１０】
これは、表示用デジタル画像データを１フレーム分記憶するＲＡＭと、液晶パネルの温度を検知する温度センサと、上記デジタル画像データと上記ＲＡＭから１フレーム遅れて読出される画像データとを比較し、今回の画像データが１フレーム前の画像データに比して変化した際に今回の画像データを該変化方向に上記温度センサの検知温度に応じて強調変換するデータ変換回路とを備え、このデータ変換回路から出力される画像データに基づいて上記液晶パネルを表示駆動するものである。
【００１１】
すなわち、温度センサが検知する液晶パネルの温度を例えば３段階の値Ｔｈ，Ｔｍ，Ｔｌ（Ｔｈ＞Ｔｍ＞Ｔｌ）とし、これに対応してＡ／Ｄ変換器がデータ変換回路に出力するモード信号をＭｈ，Ｍｍ，Ｍｌとして、また、データ変換回路のＲＯＭには、今回の画像データと１フレーム遅れた画像データとを指定アドレスとする画像データのテーブルをモード信号の数「３」だけ予め記憶設定しておくことで、入力されるモード信号に応じたテーブルが選択され、そのテーブル中の今回の画像データと１フレーム遅れた画像データを指定アドレスとするアドレス位置に書込まれている画像データを読出し、液晶パネルの駆動回路に出力する。
【００１２】
【特許文献１】
特開平４−３６５０９４号公報
【特許文献２】
特開２００２−６２８５０号公報
【特許文献３】
特開平４−３１８５１６号公報
【００１３】
【発明が解決しようとする課題】
ところで、例えば直下型バックライト方式の液晶表示装置の背面から見た概略構成例を図１７に示す。図１７において、４は液晶表示パネル、１１は液晶表示パネル４を背面から照射するための蛍光ランプ、１２は蛍光ランプ１１を点灯駆動するためのインバータトランス、１３は電源ユニット、１４は映像処理回路基板、１５は音声処理回路基板、１６は温度センサーである。
【００１４】
ここで、液晶表示パネル４の応答速度特性に大きな影響を及ぼす発熱作用をもつのは、蛍光ランプ１１の電極部、インバータトランス１２、電源ユニット１３である。一方、温度センサー１６は、その本来の目的から液晶表示パネル４内に設けることが望ましいが、これは困難であるため、回路基板などの他部材に取り付ける必要がある。
【００１５】
そこで、各構成部材１１〜１５を例えば図１７に示すような配置とした場合、インバータトランス１２、電源ユニット１３の発熱作用の影響を最も受け難い音声処理回路基板１５に温度センサー１６を取り付けて、この温度センサー１６の検出出力を、映像処理回路基板１４に設けられたオーバーシュート駆動回路で利用することになる。
【００１６】
また、図１８（ａ）に示すような、コの字状の蛍光ランプ１１を用いた直下型バックライト方式の液晶表示装置、図１８（ｂ）に示すような、Ｌ字状の蛍光ランプ１１を用いたサイドエッジ型バックライト方式の液晶表示装置などにおいても、蛍光ランプ１１の電極部、この蛍光ランプ１１を点灯駆動するためのインバータトランスが後背部に位置する液晶表示パネル４の一部領域では温度上昇が大きく、図１８中ハッチングで示した領域に比べてその他の領域の方が温度が高くなる。
【００１７】
ここで、従来の液晶表示装置においては、単一の温度センサー１６による検出温度を液晶表示パネル４面全体の温度と見なして、これに基づき強調変換パラメータを切り替えて入力画像信号のオーバーシュート駆動を行っているが、上述のとおり、実際には発熱作用を持つ部材の配置位置等によって、液晶表示パネル４の面内温度分布が発生することとなる。
【００１８】
すなわち、温度センサー１６の検出温度より温度が高くなっている液晶表示パネル４の一部領域においては、過大の印加電圧データ（強調変換信号）が供給されることになり、画素の白点化が生じてしまう。一方、温度センサー１６の検出温度より温度が低くなっている液晶表示パネル４の一部領域においては、過小な印加電圧データ（強調変換信号）が供給されることになり、黒尾引きが発生するなど、表示画像の画質を著しく劣化させてしまう。
【００１９】
同様に、当該液晶表示装置が、例えばエアコンの吹き出し風が当たる場所や、日だまりの直射日光が当たる場所に設置された場合、液晶表示パネル４の一部領域のみ温度が下がったり上がったりして、液晶表示パネル４の面内温度分布が発生し、一部領域で過大な印加電圧データ（強調変換信号）が液晶表示パネル４に供給されて、白点が発生したり、過小の印加電圧データ（強調変換信号）が液晶表示パネル４に供給されて、黒尾引きが発生するなど、表示画像の画質を著しく劣化させてしまう。この設置場所による液晶表示パネル４の面内温度分布の問題は、特に表示画面サイズが大型化した場合に顕著となる。
【００２０】
本発明は、上記課題に鑑みてなされたものであり、液晶表示パネルの面内温度分布が発生する状態においても、表示画像の画質劣化を防止することが可能な液晶表示装置を提供するものである。
【００２１】
【課題を解決するための手段】
本願の第１の発明は、液晶表示パネルを用いて、画像を表示する液晶表示装置であって、前記液晶表示パネルの複数分割領域の各々における温度を検出する温度検出手段と、入力画像信号を前記液晶表示パネルの複数分割領域の各々に対応したブロックに分割し、該分割されたブロックの画像信号の各々に対して、該画像信号が表示される前記液晶表示パネルの分割領域における検出温度と、前記入力画像信号の１垂直表示期間前後における階調遷移の組み合わせとに応じた強調変換を行うことにより、前記液晶表示パネルの光学応答特性を補償する強調変換信号を求める書込階調決定手段とを備えたことを特徴とする。
【００２２】
本願の第２の発明は、前記温度検出手段が、任意の数の温度センサーによる検出温度に所定の演算を施すことによって、前記液晶表示パネルの分割領域の各々における温度を求めることを特徴とする。
【００２３】
本願の第３の発明は、前記温度検出手段が、当該装置の電源投入後の経過時間に応じて、前記温度センサーによる検出温度に施す演算を可変することを特徴とする。
【００２４】
本願の第４の発明は、前記温度検出手段が、当該装置内外の温度に応じて、前記温度センサーによる検出温度に施す演算を可変することを特徴とする。
【００２５】
本願の第５の発明は、前記書込階調決定手段が、入力画像信号の１垂直表示期間前後における階調遷移の組み合わせに応じて、該入力画像信号を前記液晶表示パネルの光学応答特性を補償する強調変換信号に変換するための、予め定められた複数の温度範囲毎に異なる強調変換パラメータを記憶した複数の変換テーブルメモリと、前記入力画像信号が表示される前記液晶表示パネルの分割領域における検出温度に基づいて、前記複数の変換テーブルメモリのうちの一つを選択的に切換える切換部とを有し、前記切換部により切換えられた変換テーブルメモリを参照することにより読み出された強調変換パラメータを用いて、前記入力画像信号に対する強調変換信号を求め、書込階調信号として前記液晶表示パネルに供給することを特徴とする。
【００２６】
本願の第６の発明は、前記書込階調決定手段が、入力画像信号の１垂直表示期間前後における階調遷移の組み合わせに応じて、該入力画像信号を前記液晶表示パネルの光学応答特性を補償する強調変換信号に変換するための、予め定められた複数の温度範囲毎に異なる強調変換パラメータを複数の参照テーブル領域毎に記憶したテーブルメモリと、前記入力画像信号が表示される前記液晶表示パネルの分割領域における検出温度に基づいて、前記複数の参照テーブル領域のうちの一つを選択的に切換える切換部とを有し、前記切換部により切換えられた前記テーブルメモリの参照テーブル領域を参照することにより読み出された強調変換パラメータを用いて、前記入力画像信号に対する強調変換信号を求め、書込階調信号として前記液晶表示パネルに供給することを特徴とする。
【００２７】
本願の第７の発明は、前記書込階調決定手段が、入力画像信号の１垂直表示期間前後における階調遷移の組み合わせに応じて、該入力画像信号を前記液晶表示パネルの光学応答特性を補償する強調変換信号に変換するための強調変換パラメータを記憶した変換テーブルメモリと、前記強調変換パラメータを用いて求められた強調変換信号から前記入力画像信号を減算する減算器と、前記入力画像信号が表示される前記液晶表示パネルの分割領域における検出温度に基づいて可変制御される重み係数ｋを、前記減算器の出力信号に積算する乗算器と、前記乗算器の出力信号を、前記入力画像信号に加算する加算器とを有し、前記加算器の出力信号を、書込階調信号として前記液晶表示パネルに供給することを特徴とする。
【００２８】
すなわち、本発明の液晶表示装置によれば、液晶表示パネルを均等又は不均等の任意の領域に分割し、各分割領域における温度を検出する。また、入力画像信号を前記液晶表示パネルの各分割領域に対応したブロックに分割し、該分割されたブロックの画像信号の各々に対して、該画像信号が表示される前記液晶表示パネルの分割領域における温度に基づき、前記液晶表示パネルの光学応答特性を適切に補償するオーバーシュート駆動（強調変換処理）を行う。従って、液晶表示パネルの面内温度分布に対応した適切な書込階調信号を得ることができ、液晶表示パネルの全面に亘って表示画像の画質劣化を防止することが可能となる。
【００２９】
【発明の実施の形態】
以下、本発明の第１実施形態を、図１乃至図４とともに詳細に説明するが、上記従来例と同一部分には同一符号を付し、その説明は省略する。ここで、図１は本実施形態の液晶表示装置における要部概略構成を示すブロック図、図２は本実施形態の液晶表示装置における温度センサーの液晶表示パネルに対する配置（相対位置関係）例を示す説明図、図３は本実施形態の液晶表示装置において用いるＯＳテーブルメモリのテーブル内容を示す概略説明図、図４は本実施形態の液晶表示装置における制御ＣＰＵの概略構成を示す機能ブロック図である。
【００３０】
本実施形態の液晶表示装置においては、図１に示すように、液晶表示パネル４を例えば４つの画面領域に均等分割した各々の分割領域Ａ〜Ｄに対向する位置に、各分割領域Ａ〜Ｄのパネル温度を検出する４つの温度センサー１６ａ〜１６ｄを設けている。
【００３１】
ここで、温度センサー１６ａ〜１６ｄは、図２（ａ）に示すように、液晶表示パネル４の四隅部分に対向する位置に設けても良いが、各分割領域Ａ〜Ｄにおける平均的な温度を検出するためには、図２（ｂ）に示すように、液晶表示パネル４の各分割領域Ａ〜Ｄの中央部分に対向する位置に設ける方が望ましい。尚、液晶表示パネル４の領域分割数は４に限らず、均等または不均等な任意のＭ個（Ｍ≧２）の領域に分割して、それぞれの分割領域に対応するＭ個の温度センサーを設けて構成しても良いことは言うまでもない。
【００３２】
また、書込階調決定手段として、液晶表示パネル４の各温度範囲に対応した強調変換パラメータＬＥＶＥＬ  ０，ＬＥＶＥＬ  １がそれぞれ格納された複数のＯＳテーブルメモリ（ＲＯＭ）３ａ、３ｂと、該ＯＳテーブルメモリ（ＲＯＭ）３ａ、３ｂのいずれかを参照して、フレームメモリ１に格納されている１フレーム前の画像信号（Ｐｒｅｖｉｏｕｓ  Ｄａｔａ）と現フレームの画像信号（Ｃｕｒｒｅｎｔ  Ｄａｔａ）との組み合わせ（階調遷移）から対応する強調変換パラメータを読み出し、入力画像信号に対して液晶表示パネル４の光学応答特性を補償する強調変換信号を決定するための強調変換部２２とを備えている。
【００３３】
尚、本実施形態においては、説明を簡略化するため、ＯＳテーブルメモリ（ＲＯＭ）として、図３に示すように、温度センサー１６ａ〜１６ｄによる検出温度が所定の閾値温度より低い場合に用いる強調変換パラメータＬＥＶＥＬ  ０が格納されたＯＳテーブルメモリ３ａと、温度センサー１６ａ〜１６ｄによる検出温度が所定の閾値温度より高い場合に用いる強調変換パラメータＬＥＶＥＬ  １が格納されたＯＳテーブルメモリ３ｂとの２種類のＲＯＭを設け、両者を切り替えて参照することにより、オーバーシュート駆動を行うものについて説明するが、３以上の予め定められた温度範囲のそれぞれに対応した３種類以上のＲＯＭを設けて構成しても良いことは言うまでもない。
【００３４】
また、図３に示したものは、表示信号レベル数すなわち表示データ数が８ビットの２５６階調である場合において、３２階調毎の代表階調遷移パターンについての強調変換パラメータ（実測値）を９×９のマトリクス状に記憶し、代表階調以外の階調を持つ画像信号に対しては、該強調変換パラメータ（実測値）を用いて補間演算することで強調変換信号（書込階調信号）を求める構成としているが、これに限られないことは明らかである。
【００３５】
さらに、本実施形態においては、同期信号抽出部１７で抽出された入力画像信号の垂直同期信号、水平同期信号に基づいて、各温度センサー１６ａ〜１６ｄにより検出された液晶表示パネル４の各分割領域Ａ〜Ｄにおける温度データａ〜ｄのいずれかを切換選択し、該選択された温度データａ〜ｄのいずれかに基づいて、少なくとも画素単位で上記ＯＳテーブルメモリ３ａ、３ｂのいずれかを適宜切り替え選択するための制御ＣＰＵ１８を備えている。
【００３６】
この制御ＣＰＵ１８は、図４に示すように、入力画像信号の垂直、水平同期信号に基づいて、強調変換する画像信号が液晶表示パネル４の分割領域Ａ〜Ｄのいずれに表示されるものかを判別する画面位置判別部１８ａと、該画面位置判別部１８ａでの判別結果に応じて、各温度センサー１６ａ〜１６ｄにより検出された温度データａ〜ｄのいずれかを選択出力するセレクタ１８ｂとを有している。
【００３７】
また、上記セレクタ１８ｂより出力された温度データａ〜ｄと、予め定められた閾値温度データとを比較する閾値判別部１８ｃと、該閾値判別部１８ｃによる比較結果に応じて、ＯＳテーブルメモリ（ＲＯＭ）３ａ、３ｂのいずれかを選択し、強調変換パラメータＬＥＶＥＬ  ０，ＬＥＶＥＬ  １を切り替えるための切替制御信号を生成する制御信号出力部１８ｄとを有している。
【００３８】
すなわち、本実施形態の液晶表示装置においては、入力画像信号を液晶表示パネル４の各分割領域Ａ〜Ｄに対応したブロックに分割し、該分割された各ブロックの画像信号が表示される液晶表示パネル４の分割領域Ａ〜Ｄに対応した温度検出データａ〜ｄに基づいて、ＯＳテーブルメモリ（ＲＯＭ）３ａ、３ｂのいずれかを切替選択する。
【００３９】
そして、選択されたＯＳテーブルメモリ（ＲＯＭ）３ａ、３ｂを参照して、入力画像信号の１フレーム期間前後における階調遷移の組み合わせに対応する強調変換パラメータＬＥＶＥＬ  ０，ＬＥＶＥＬ  １を読み出し、この強調変換パラメータを用いて線形補間等の演算を行うことにより、すべての階調遷移パターンにおいて入力画像信号に対する強調変換信号を求め、これを書込階調信号として液晶表示パネル４に供給する。
【００４０】
これによって、液晶表示パネル４の分割領域Ａ〜Ｄに対応して分割されたブロックの画像信号毎に、適切な強調変換パラメータＬＥＶＥＬ  ０，ＬＥＶＥＬ  １を用いた強調変換処理を施することが可能となり、液晶表示パネル４の面内温度分布に対応した適切な書込階調信号を得ることができるため、液晶表示パネル４の全面に亘って表示画像の画質劣化を防止することが可能となる。
【００４１】
例えば液晶表示パネル４に、図１８に示すような面内温度分布が発生している場合、比較的温度が低いハッチング部分に表示される画像信号に対しては、低温用のＯＳテーブルメモリ３ａが選択参照されて、強調変換パラメータＬＥＶＥＬ  ０を用いた強調変換処理を行うことができる。一方、比較的温度が高いその他の部分に表示される画像信号に対しては、高温用のＯＳテーブルメモリ３ｂが選択参照され、強調変換パラメータＬＥＶＥＬ  １を用いた強調変換処理を行うことができる。
【００４２】
このように、入力画像信号の表示画面位置に同期して、ＯＳテーブルメモリ３ａ、３ｂのいずれかを切替選択することにより、１フレーム（１表示画面）内で異なる強調変換パラメータを用いて強調変換信号を求めることができる。従って、液晶表示パネル４に面内温度分布が発生している場合であっても、液晶表示パネル４の各画面位置に対応する画像信号毎に、その画面位置における検出温度に応じた強調変換処理を施すことにより、各画面位置のパネル温度に対応した適切な書込階調信号を得ることができ、全画面に亙って液晶表示パネル４の光学応答特性を補償することが可能となる。
【００４３】
その結果、液晶表示パネル４の面内温度分布によって局所的に生じる白点の発生や黒尾引きの発生等を防止して、表示画像の画質劣化を防止することが可能となる。
【００４４】
尚、上述の実施形態においては、強調変換部２とＯＳテーブルメモリ（ＲＯＭ）３ａ，３ｂとで書込階調決定手段を構成しているが、ＯＳテーブルメモリ（ＲＯＭ）を設ける代わりに、例えば遷移前の階調と遷移後の階調とを変数とする２次元関数ｆ（ｐｒｅ，ｃｕｒ）により、液晶表示パネル４の光学応答特性を補償する強調変換信号（書込階調信号）を求める構成としても良い。
【００４５】
次に、本発明の第２実施形態について、図５及び図６とともに詳細に説明するが、上述した第１実施形態と同一部分には同一符号を付し、その説明は省略する。ここで、図５は本実施形態の液晶表示装置における温度センサーの液晶表示パネルに対する配置（相対位置関係）例を示す説明図、図６は本実施形態の液晶表示装置における制御ＣＰＵの概略構成を示す機能ブロック図である。
【００４６】
本実施形態の液晶表示装置においては、４つの温度センサー１６ｅ〜１６ｈを、図５に示すように、液晶表示パネル４の各分割領域Ａ〜Ｄの境界部分に対向する位置に設け、各分割領域Ａ〜Ｄに近接する位置にある２つの温度センサー１６ｅ〜１６ｈによる温度検出データｅ〜ｈを平均化演算することによって、液晶表示パネル４の各分割領域Ａ〜Ｄの温度を検出する制御ＣＰＵ２８を備えた構成としている。
【００４７】
本実施形態の制御ＣＰＵ２８は、図６に示すように、入力画像信号の垂直、水平同期信号に基づいて、強調変換する画像信号が液晶表示パネル４の分割領域Ａ〜Ｄのいずれに表示されるものかを判別する画面位置判別部２８ａと、該画面位置判別部２８ａでの判別結果に応じて、各温度センサー１６ｅ〜１６ｈにより検出された温度データｅ〜ｈのいずれか２つを選択し、その平均値を演算出力する演算部２８ｂとを有している。
【００４８】
また、上記演算部２８ｂより出力された温度データと、予め定められた閾値温度データとを比較する閾値判別部２８ｃと、該閾値判別部２８ｃによる比較結果に応じて、ＯＳテーブルメモリ（ＲＯＭ）３ａ、３ｂのいずれかを選択し、強調変換パラメータＬＥＶＥＬ  ０，ＬＥＶＥＬ  １を切り替えるための切替制御信号を生成する制御信号出力部２８ｄとを有している。
【００４９】
すなわち、本実施形態の液晶表示装置においては、入力画像信号を液晶表示パネル４の各分割領域Ａ〜Ｄに対応したブロックに分割し、該分割された各ブロックの画像信号が表示される液晶表示パネル４の分割領域Ａ〜Ｄにおける温度検出データに基づいて、ＯＳテーブルメモリ（ＲＯＭ）３ａ、３ｂのいずれかを切替選択する。
【００５０】
ここで、液晶表示パネル４の分割領域Ａにおける温度データとして、温度センサー１６ｅ，１６ｇによる温度検出データｅ，ｇの平均値を、液晶表示パネル４の分割領域Ｂにおける温度データとして、温度センサー１６ｅ，１６ｆによる温度検出データｅ，ｆの平均値を、液晶表示パネル４の分割領域Ｃにおける温度データとして、温度センサー１６ｇ，１６ｈによる温度検出データｇ，ｈの平均値を、液晶表示パネル４の分割領域Ｄにおける温度データとして、温度センサー１６ｆ，１６ｈによる温度検出データｆ，ｈの平均値をそれぞれ用いて、強調変換パラメータＬＥＶＥＬ  ０，ＬＥＶＥＬ  １の切替制御を行っている。
【００５１】
このように、液晶表示パネル４の各分割領域Ａ〜Ｄに近接した２箇所のセンサー出力温度を抽出して平均値演算し、各分割領域Ａ〜Ｄの温度を検出することによって、上記第１実施形態と同数の温度センサーにより、精度の高い各分割領域Ａ〜Ｄの温度検出が可能となり、各分割領域Ａ〜Ｄに表示される画像信号のそれぞれに対して、より適切な強調変換処理を施すことができる。
【００５２】
尚、本実施形態においては、液晶表示パネル４の領域分割数と同数の温度センサー１６ｅ〜１６ｈを設けているが、温度センサー１６の数を増やす程、各分割領域Ａ〜Ｄの温度検出精度を高くすることができ、適当な位置に温度センサーを追加して設けても良いことは言うまでもない。また、各温度センサーによる検出温度の単純平均に限らず、例えば予め定められた重み係数を用いて各温度センサーによる検出温度に対して加重平均演算を施すことで、液晶表示パネル４の各分割領域の温度を検出するようにしても良い。
【００５３】
次に、本発明の第３実施形態について、図７乃至図９とともに詳細に説明するが、上述した第１実施形態と同一部分には同一符号を付し、その説明は省略する。ここで、図７は本実施形態の液晶表示装置における温度センサーの液晶表示パネルに対する配置（相対位置関係）例を示す説明図、図８は本実施形態の液晶表示装置における制御ＣＰＵの概略構成を示す機能ブロック図、図９は温度センサーによる検出温度及び液晶表示パネル面の温度と電源投入後の経過時間との関係例を示す説明図である。
【００５４】
本実施形態の液晶表示装置においては、単一の温度センサー１６ｉを、図７に示すように、液晶表示パネル４の中央部分に対向する位置に設け、該温度センサー１６ｉによる温度検出データｉに対して予め決められた所定の値を加減算する等の演算を施すことにより、液晶表示パネル４の各分割領域Ａ〜Ｄの温度を検出する制御ＣＰＵ３８を備えた構成としている。
【００５５】
本実施形態の制御ＣＰＵ３８は、図８に示すように、入力画像信号の垂直、水平同期信号に基づいて、強調変換する画像信号が液晶表示パネル４の分割領域Ａ〜Ｄのいずれに表示されるものかを判別する画面位置判別部３８ａと、該画面位置判別部３８ａでの判別結果に応じて、温度センサー１６ｉにより検出された温度データｉに予め決められた所定の値を加減算する演算部３８ｂとを有している。
【００５６】
また、上記演算部３８ｂより出力された温度データと、予め定められた閾値温度データとを比較する閾値判別部３８ｃと、該閾値判別部３８ｃによる比較結果に応じて、ＯＳテーブルメモリ（ＲＯＭ）３ａ、３ｂのいずれかを選択し、強調変換パラメータＬＥＶＥＬ  ０，ＬＥＶＥＬ  １を切り替えるための切替制御信号を生成する制御信号出力部３８ｄとを有している。
【００５７】
すなわち、本実施形態の液晶表示装置においては、入力画像信号を液晶表示パネル４の各分割領域Ａ〜Ｄに対応したブロックに分割し、該分割された各ブロックの画像信号が表示される液晶表示パネル４の分割領域Ａ〜Ｄにおける温度検出データに基づいて、ＯＳテーブルメモリ（ＲＯＭ）３ａ、３ｂのいずれかを切替選択する。
【００５８】
ここで、液晶表示パネル４の分割領域Ａにおける温度データとして、温度センサー１６ｉによる温度検出データｉに所定値ｔａを加算したものを、液晶表示パネル４の分割領域Ｂにおける温度データとして、温度センサー１６ｉによる温度検出データｉに所定値ｔｂを加算したものを、液晶表示パネル４の分割領域Ｃにおける温度データとして、温度センサー１６ｉによる温度検出データｉに所定値ｔｃを加算したものを、液晶表示パネル４の分割領域Ｄにおける温度データとして、温度センサー１６ｉによる温度検出データｉに所定値ｔｄを加算したものをそれぞれ用いて、強調変換パラメータＬＥＶＥＬ  ０，ＬＥＶＥＬ  １の切替制御を行っている。
【００５９】
このように、任意の位置に設けられた単一のセンサー出力温度に所定の演算（加減算）を施し、各分割領域Ａ〜Ｄの温度を検出することによって、温度センサーの数を抑制しつつ、液晶表示パネル４の各分割領域Ａ〜Ｄの温度検出が可能となり、各分割領域Ａ〜Ｄに表示される画像信号のそれぞれに対して、より適切な強調変換処理を施すことができる。
【００６０】
ここで、例えば図９に示すように、温度センサー１６ｉによる検出温度の上昇カーブと、液晶表示パネル４の各分割領域Ａ〜Ｄにおける実際の温度の上昇カーブとは異なっており、電源投入後の経過時間に伴って、温度センサー１６ｉによる検出温度と、液晶表示パネル４の各分割領域Ａ〜Ｄにおける実際の温度との格差が変化する。この温度格差は、電源投入後、ある時間（図９の例では約４０分）が経過するまでは、経過時間に伴って大きくなる。
【００６１】
従って、当該装置の電源投入後の経過時間をカウントし、この電源投入後の経過時間に応じて、温度検出データｉに施す演算量ｔａ〜ｔｄをそれぞれ独立して可変する（電源投入当初はｔａ〜ｔｄ＝０とする）ことにより、常に適切な強調変換パラメータＬＥＶＥＬ  ０，ＬＥＶＥＬ  １の切替制御を行うことが可能となり、高画質の画像表示を実現することができる。
【００６２】
但し、これは電源投入時における温度センサー１６ｉの検出温度と液晶表示パネル４の各分割領域Ａ〜Ｄにおける実際の温度とが一致していることを前提としている。例えば長時間視聴した装置を一旦電源オフした後、すぐにまた電源オンした場合などは、温度センサー１６ｉの検出温度に含まれる、液晶表示パネル４の各分割領域Ａ〜Ｄにおける実際の温度との格差を正しく補正することができず、最適な強調変換パラメータを切替選択することができない可能性もある。
【００６３】
このため、直前の電源停止時刻或いは電源停止後経過時間、及び該電源停止時の演算量ｔａ〜ｔｄを記憶しておき、これらを用いて電源投入時における温度センサー１６ｉの検出温度と液晶表示パネル４の各分割領域Ａ〜Ｄにおける実際の温度との差を推測することにより、適切な演算量ｔａ〜ｔｄを用いて、温度センサー１６ｉの検出温度データｉに演算処理を施すようにしても良い。
【００６４】
また、周囲温度（装置外温度）を検出する温度センサーを別途設け、温度センサー１６ｉによる装置内の検出温度と周囲温度（装置外温度）とに応じて演算量ｔａ〜ｔｄを決定し、温度センサー１６ｉによる温度検出データｉに対して加減算することにより、液晶表示パネル４の各分割領域Ａ〜Ｄにおける温度を検出する構成としても良い。
【００６５】
すなわち、当該装置外の周囲温度毎に、温度センサー１６ｉの装置内検出温度に対する、液晶表示パネル４の各分割領域Ａ〜Ｄにおける実際の温度（実測値）を予めパターン（相関データ）化しておくことで、温度センサー１６ｉにより検出された温度データｉに含まれる、液晶表示パネル４の各分割領域Ａ〜Ｄにおける実際の温度に対する差を推定することができ、この温度差を補正する演算を行うことにより、常に適切な強調変換パラメータＬＥＶＥＬ  ０，ＬＥＶＥＬ  １の切替制御を行うことが可能となり、高画質の画像表示を実現することができる。
【００６６】
尚、上記実施形態においては、単一の温度センサー１６ｉを設けたものについて説明したが、必要最小限の適当な位置に温度センサーを追加して設けても良いことは言うまでもない。この場合、画面位置判別部３８ａでの判別結果に応じて、複数の温度センサーによる温度検出データのいずれかを切換選択した後、予め決められた所定の値を加減算することで、各分割領域Ａ〜Ｄの温度検出精度を高めることができる。
【００６７】
また、上記実施形態においては、温度センサー１６ｉによる温度データｉに対し、画面位置判別部３８ａでの判別結果に応じて決められる所定値を加減算することにより、液晶表示パネル４の各分割領域Ａ〜Ｄに最適な強調変換パラメータを選択するものについて説明したが、これに限らず、例えば閾値判別部３８ｂで用いる閾値温度データに対し、画面位置判別部３８ａでの判別結果に応じて決められる所定値を加減算する構成としても良い。
【００６８】
次に、本発明の第４実施形態について、図１０とともに詳細に説明するが、上述した第１〜第３実施形態と同一部分には同一符号を付し、その説明は省略する。ここで、図１０は本実施形態の液晶表示装置における温度センサーの液晶表示パネルに対する配置（相対位置関係）例を示す説明図である。
【００６９】
本実施形態の液晶表示装置においては、図１０に示すように、液晶表示パネル４を不均等な領域Ａ〜Ｆに６分割し、液晶表示パネル４の分割領域Ａ，Ｅの境界部分に対向する位置に温度センサー１６ｊを設けるとともに、液晶表示パネル４の分割領域Ｄの中央部分に対向する位置に温度センサー１６ｋを設けて構成している。そして、強調変換する画像信号の画面位置判別結果に基づいて、温度センサー１６ｊ，１６ｋによる温度検出データｊ，ｋに対して所定の演算を施すことにより、液晶表示パネル４の各分割領域Ａ〜Ｆの温度を検出する構成としている。
【００７０】
すなわち、液晶表示パネル４の分割領域Ａにおける温度データとしては、温度センサー１６ｊによる温度検出データｊに所定値ｔａを加算したものを、液晶表示パネル４の分割領域Ｂにおける温度データとしては、温度センサー１６ｋによる温度検出データｋに所定値ｔｂを加算したものを、液晶表示パネル４の分割領域Ｃにおける温度データとしては、温度検出データｊと温度検出データｋとの平均値を、液晶表示パネル４の分割領域Ｄにおける温度データとしては、温度検出データｋをそのまま、液晶表示パネル４の分割領域Ｅにおける温度データとしては、温度検出データｊに所定値ｔｅを加算したものを、液晶表示パネル４の分割領域Ｆにおける温度データとしては、温度検出データＫに所定値ｔｆを加算したものをそれぞれ用いて、強調変換パラメータＬＥＶＥＬ  ０，ＬＥＶＥＬ  １の切替制御を行っている。
【００７１】
このように、液晶表示パネル４を任意の領域Ａ〜Ｆに分割するとともに、任意の位置に設けられた１以上のセンサー出力温度に所定の演算を施することによって、液晶表示パネル４の各分割領域Ａ〜Ｆの温度を検出することができる。従って、効率良く且つ高精度に各分割領域Ａ〜Ｆの温度検出を行うことが可能となり、各分割領域Ａ〜Ｆに表示される画像信号のそれぞれに対して、より適切な強調変換処理を施すことができる。
【００７２】
次に、本発明の第５実施形態について、図１１及び図１２とともに詳細に説明するが、上述した第１実施形態と同一部分には同一符号を付し、その説明は省略する。ここで、図１１は本実施形態の液晶表示装置における要部概略構成を示すブロック図、図１２は本実施形態の液晶表示装置において用いるＯＳテーブルメモリのテーブル内容を示す概略説明図である。
【００７３】
本実施形態の液晶表示装置は、図１１に示すように、ＯＳテーブルメモリとして単一のＲＯＭ３ｃを備えており、このＲＯＭ３ｃを参照することにより、強調変換部３２は入力画像信号に対して強調変換を施して、液晶表示パネル４に供給する書込階調信号（強調変換信号）を決定する構成としている。ここでは、ＯＳテーブルメモリ（ＲＯＭ）３ｃと、このＯＳテーブルメモリ（ＲＯＭ）３ｃ内の参照テーブル領域を制御ＣＰＵ１８からの制御信号に基づき切り替え参照して、書込階調信号を求める強調変換部３２とにより書込階調決定手段を構成している。
【００７４】
このＯＳテーブルメモリ（ＲＯＭ）３ｃには、図１２に示すように、低温用の強調変換パラメータＬＥＶＥＬ  ０、高温用の強調変換パラメータＬＥＶＥＬ  １がそれぞれ個別のテーブル領域に格納されており、各々の強調変換パラメータＬＥＶＥＬ  ０，ＬＥＶＥＬ１が記憶された参照テーブル領域は、温度センサー１６ａ〜１６ｄのそれぞれで検出された検出温度に応じて選択的に切り替えられて参照される。
【００７５】
すなわち、温度センサー１６ａ〜１６ｄの検出出力に応じて制御ＣＰＵ１８から出力される切替制御信号に基づき、ＯＳテーブルメモリ（ＲＯＭ）３ｃの参照するテーブル領域を切替選択するとともに、入力画像信号の１フレーム期間前後の階調遷移に応じて、選択されたテーブル領域の対応するアドレスを参照することにより、ここでは２種類の強調変換パラメータＬＥＶＥＬ  ０，ＬＥＶＥＬ  １を選択的に切り替えて読み出すことが可能となっている。尚、本実施形態においても、３以上の予め定められた温度範囲のそれぞれに対応した３種類以上の強調変換パラメータを各参照テーブル領域に格納する構成としても良いことは言うまでもない
上記のように構成してなる液晶表示装置においては、入力画像信号を液晶表示パネル４の各分割領域Ａ〜Ｄに対応したブロックに分割し、該分割された各ブロックの画像信号が表示される液晶表示パネル４の分割領域Ａ〜Ｄに対応した温度検出データａ〜ｄに基づいて、ＯＳテーブルメモリ（ＲＯＭ）３ｃにおける参照テーブル領域のいずれかを切替選択する。
【００７６】
そして、このＯＳテーブルメモリ（ＲＯＭ）３ｃの選択された参照テーブル領域を参照して、入力画像信号の１フレーム期間前後における階調遷移の組み合わせに対応する強調変換パラメータＬＥＶＥＬ  ０，ＬＥＶＥＬ  １を読み出し、この強調変換パラメータを用いて線形補間等の演算を行うことにより、すべての階調遷移パターンにおいて入力画像信号に対する強調変換信号を求め、書込階調信号として液晶表示パネル４に供給する。
【００７７】
これによって、上述の第１実施形態と同様、液晶表示パネル４の分割領域Ａ〜Ｄに対応して分割されたブロックの画像信号毎に、適切な強調変換パラメータＬＥＶＥＬ  ０，ＬＥＶＥＬ  １を用いた強調変換処理を施することが可能となり、液晶表示パネル４の面内温度分布に対応した適切な書込階調信号を得ることができるため、液晶表示パネル４の全面に亘って表示画像の画質劣化を防止することが可能となる。
【００７８】
例えば液晶表示パネル４に、図１８に示すような面内温度分布が発生している場合、比較的温度が低いハッチング部分に表示される画像信号に対しては、低温用のテーブル領域が選択参照されて、強調変換パラメータＬＥＶＥＬ  ０を用いた強調変換処理を行うことができる。一方、比較的温度が高いその他の部分に表示される画像信号に対しては、高温用のテーブル領域が選択参照され、強調変換パラメータＬＥＶＥＬ  １を用いた強調変換処理を行うことができる。
【００７９】
このように、入力画像信号の表示画面位置に同期して、ＯＳテーブルメモリ３ｃに設けられた参照テーブル領域のいずれかを切替選択することにより、１フレーム（１表示画面）内で異なる強調変換パラメータを用いて強調変換信号を求めることができる。従って、液晶表示パネル４に面内温度分布が発生している場合であっても、液晶表示パネル４の各画面位置に対応する画像信号毎に、その画面位置における検出温度に応じた強調変換処理を施すことにより、各画面位置のパネル温度に対応した適切な書込階調信号を得ることができ、全画面に亙って液晶表示パネル４の光学応答特性を補償することが可能となる。
【００８０】
その結果、液晶表示パネル４の面内温度分布によって局所的に生じる白点の発生や黒尾引きの発生等を防止して、表示画像の画質劣化を防止することが可能となる。
【００８１】
次に、本発明の第６実施形態について、図１３とともに詳細に説明するが、上述した第１実施形態と同一部分には同一符号を付し、その説明は省略する。ここで、図１３は本実施形態の液晶表示装置における書込階調決定手段を示すブロック図である。
【００８２】
本実施形態の液晶表示装置は、図１３に示すように、書込階調決定手段として、例えばＯＳテーブルメモリ（ＲＯＭ）３から読み出した強調変換パラメータに基づいて強調変換信号を求める強調変換部２と、該強調変換部２で求めた強調変換信号から入力画像信号を減算する減算器２０と、該減算器２０の出力信号に重み係数ｋを積算する乗算器２１と、この乗算器２１の出力信号を入力画像信号に加算することにより、書込階調信号を得る加算器２２とを設けた構成とし、制御ＣＰＵ１８からの制御信号に基づいて、上記重み係数ｋの値を切替制御することにより、液晶表示パネル４に供給する書込階調信号を可変制御するようにしている。
【００８３】
上記のように構成してなる液晶表示装置においては、液晶表示パネル４の各分割領域Ａ〜Ｄ毎に、温度センサー１６ａ〜１６ｄの検出温度に応じて、制御ＣＰＵ１８が乗算器２１の重み係数をｋ＝１±αに可変制御することにより、液晶表示パネル４の表示画面位置によって異なる温度に応じた適切な強調変換を入力画像信号に対して施すことが可能である。
【００８４】
例えば液晶表示パネル４に、図１８に示すような面内温度分布が発生している場合、比較的温度が低いハッチング部分に表示される画像信号に対しては、重み係数をｋ＝１＋αに可変された乗算器２１の出力信号を加算して、液晶表示パネル４に供給する書込階調信号を得ることができる。一方、比較的温度が高いその他の部分に表示される画像信号に対しては、重み係数をｋ＝１−αに可変された乗算器２１の出力信号を加算して、液晶表示パネル４に供給する書込階調信号を得ることができる。
【００８５】
このように、入力画像信号の表示画面位置に同期して、乗算器２１の重み係数ｋを可変制御することにより、１フレーム（１表示画面）内で異なる強調変換信号を求めることができる。従って、液晶表示パネル４に面内温度分布が発生している場合であっても、液晶表示パネル４の各画面位置に対応する画像信号毎に、その画面位置における検出温度に応じた強調変換処理を施すことにより、各画面位置のパネル温度に対応した適切な書込階調信号を得ることができ、全画面に亙って液晶表示パネル４の光学応答特性を補償することが可能となる。
【００８６】
その結果、液晶表示パネル４の面内温度分布によって局所的に生じる白点の発生や黒尾引きの発生等を防止して、表示画像の画質劣化を防止することが可能となる。
【００８７】
【発明の効果】
本発明の液晶表示装置は、上記のような構成としているので、液晶表示パネルの各分割領域毎に検出された温度に基づき、それぞれの分割領域に表示される画像信号に対して、前記液晶表示パネルの光学応答特性を適切に補償するオーバーシュート駆動（強調変換処理）を行うため、前記液晶表示パネルの面内温度分布に対応した適切な書込階調信号を得ることができ、該液晶表示パネルの全面に亘って表示画像の画質劣化を防止することが可能となる。
【図面の簡単な説明】
【図１】本発明の液晶表示装置の第１実施形態における要部概略構成を示すブロック図である。
【図２】本発明の液晶表示装置の第１実施形態における温度センサーの液晶表示パネルに対する配置（相対位置関係）例を示す説明図である。
【図３】本発明の液晶表示装置の第１実施形態において用いるＯＳテーブルメモリのテーブル内容を示す概略説明図である。
【図４】本発明の液晶表示装置の第１実施形態における制御ＣＰＵの概略構成を示す機能ブロック図である。
【図５】本発明の液晶表示装置の第２実施形態における温度センサーの液晶表示パネルに対する配置（相対位置関係）例を示す説明図である。
【図６】本発明の液晶表示装置の第２実施形態における制御ＣＰＵの概略構成を示す機能ブロック図である。
【図７】本発明の液晶表示装置の第３実施形態における温度センサーの液晶表示パネルに対する配置（相対位置関係）例を示す説明図である。
【図８】本発明の液晶表示装置の第３実施形態における制御ＣＰＵの概略構成を示す機能ブロック図である。
【図９】温度センサーによる検出温度及び液晶表示パネル面の温度と電源投入後の経過時間との関係例を示す説明図である。
【図１０】本発明の液晶表示装置の第４実施形態における温度センサーの液晶表示パネルに対する配置（相対位置関係）例を示す説明図である。
【図１１】本発明の液晶表示装置の第５実施形態における要部概略構成を示すブロック図である。
【図１２】本発明の液晶表示装置の第５実施形態において用いるＯＳテーブルメモリのテーブル内容を示す概略説明図である。
【図１３】本発明の液晶表示装置の第６実施形態における書込階調手段の構成例を示すブロック図である。
【図１４】従来の液晶表示装置におけるオーバーシュート駆動回路の概略構成を示すブロック図である。
【図１５】オーバーシュート駆動回路に用いるＯＳテーブルメモリにおけるテーブル内容の一例を示す概略説明図である。
【図１６】液晶に加える電圧と液晶の応答との関係を示す説明図である。
【図１７】直下型バックライト方式の液晶表示装置の背面から見た概略構成例を示す説明図である。
【図１８】（ａ）コの字状の蛍光ランプを用いた直下型バックライト方式の液晶表示装置、（ｂ）Ｌ字状の蛍光ランプを用いたサイドエッジ型バックライト方式の液晶表示装置を示す概略説明図である。
【符号の説明】
１  フレームメモリ
２、２２、３２  強調変換部
３ａ  低温用変換テーブルメモリ
３ｂ  高温用変換テーブルメモリ
３ｃ  変換テーブルメモリ
４  液晶表示パネル
１６ａ〜１６ｋ  温度センサー
１７  同期信号抽出部
１８、２８、３８  制御ＣＰＵ
【図１】
2004151672.tif 000003
【図２】
2004151672.tif 000004
【図３】
2004151672.tif 000005
【図４】
2004151672.tif 000006
【図５】
2004151672.tif 000007
【図６】
2004151672.tif 000008
【図７】
2004151672.tif 000009
【図８】
2004151672.tif 000010
【図９】
2004151672.tif 000011
【図１０】
2004151672.tif 000012
【図１１】
2004151672.tif 000013
【図１２】
2004151672.tif 000014
【図１３】
2004151672.tif 000015
【図１４】
2004151672.tif 000016
【図１５】
2004151672.tif 000017
【図１６】
2004151672.tif 000018
【図１７】
2004151672.tif 000019
【図１８】
2004151672.tif 000020